(57)【要約】 本発明は、遠心分離機に装着される遠心分離用容器に関し、より詳細には、血液や骨髄のような生理学的複合流体に遠心力を加えて成分別比重の差によって遠心分離させることにおいて、遠心分離される沈殿物質と浮遊物質の境界層を区分させるバルブ体が遠心分離過程で往復移動は可能であるが、回転は防止されるように構成すると共に浮遊物質が沈殿物質から分離されて移動する通路を広く確保することで得ようとする成分層を速かに分離及び回収できるようにする遠心分離用容器に関する。【選択図】  図１
2020515410.tif 000002
【特許請求の範囲】
【請求項１】
遠心分離対象物質が収容される第１チャンバ１１０と、前記第１チャンバ１１０内の物質から遠心分離された浮遊物質が前記第１チャンバ１１０からデカンタされて収容され、前記第１チャンバ１１０の一側に位置する第２チャンバ１２０と、前記第１チャンバ１１０と第２チャンバ１２０の上端外側を囲む形態で形成される締結部１３０を含む本体１００と、前記本体１００の上部を覆って、前記第１チャンバ１１０と第２チャンバ１２０との間に前記デカンタされる浮遊物質の流体疎通通路(Ｐ)を形成する覆い２００と、を含んでなされる遠心分離容器において、前記第１チャンバ１１０の内部には、前記遠心分離される物質の間の境界層に位置するように前記第１チャンバ１１０の長さ方向に沿って直線往復移動可能に配置され、底面には遠心分離対象物質が分離して移動される通孔１４５、１４５'、１４５”、１４５”’が形成されたバルブ体１４０、１４０'、１４０”、１４０”’が具備され、前記覆い２００には、前記覆い２００の縁を形成して、前記縁で前記締結部１３０と結合するように形成されるリング部２３０と、前記リング部２３０の内側に連結されて陷沒された形態で形成される陷沒部２２０と、前記陷沒部２２０の内側に連結されて突出された形態で形成されて前記浮遊物質が前記第１チャンバ１１０から前記第２チャンバ１２０に排出されるように流体疎通通路(Ｐ)を形成するようになる突出部２１０と、が具備され、前記突出部２１０には、前記第１チャンバ１１０に遠心分離対象物質を注入するための流入ポート２１２が突出形成され、前記陷沒部２２０には、前記第１チャンバ１１０に遠心分離対象物質が注入されることによって内部の空気を排出させるためのエアベントと、前記第２チャンバ１２０に流入された浮遊物質を排出するための排出ポートが形成され、前記リング部２３０は、外側リング部２３１と、前記外側リング部２３１と連結される平面リング部２３２と、前記平面リング部２３２と連結されて段顎が形成される内側リング部２３３で構成され、前記外側リング部２３１の内周面にはリングフック２３１-１が形成されて、前記締結部１３０の外側端部は上部から延長されて前記内側リング部２３１のリングフック２３１-１と結合するように外周面に対応される形態の締結フック１３１が形成されることを特徴とする遠心分離用容器。
【請求項２】
前記バルブ体１４０は、内側底面１４３と、前記内側底面１４３の底面を形成する外側底面１４１と、前記内側底面１４３と連結される内側面１４４と、前記内側面１４４の外部を成して前記外側底面１４１と連結される外側面１４２と、前記内側底面１４３と前記外側底面１４１を貫通して形成される通孔１４５で構成されて全体的にコップ形状でなされて、前記外側底面１４１には足場１４１-１が突出形成され、前記内側面１４４は浮遊物質の円滑な移動のために急傾斜面１４４-１と緩傾斜面１４４-２が下部から上部に順に形成されることを特徴とする請求項１に記載の遠心分離用容器。
【請求項３】
前記バルブ体１４０’は、内側底面１４３’と、前記内側底面１４３’の底面を形成する外側底面１４１’と、前記内側底面１４３’と連結される内側面１４４’と、前記内側面１４４’の外部を成して前記外側底面１４１’と連結される外側面１４２’と、前記内側底面１４３’と前記外側底面１４１’を貫通して形成される通孔１４５’で構成されて全体的にコップ形状でなされて、前記外側底面１４１’には足場１４１-１’が突出形成され、前記内側面１４４’は浮遊物質の円滑な移動のために下部から上部に急傾斜面１４４-１’と緩傾斜面１４４-２’が順に形成され、前記外側面１４２’は上部の直径がさらに大きくなるように外側で傾いて形成され、前記外側面１４２’の上端は外周面に沿って外側で微細に突出された外側面微細突出部１４２-１’が形成されることを特徴とする請求項１に記載の遠心分離用容器。
【請求項４】
前記バルブ体１４０”は、内側底面１４３”と、前記内側底面１４３”の底面を形成する外側底面１４１”と、前記内側底面１４３”と連結される内側面１４４”と、前記内側面１４４”の外部を成して前記外側底面１４１”と連結される外側面１４２”と、前記内側底面１４３”と前記外側底面１４１”を貫通して形成される通孔１４５”で構成されて全体的にコップ形状でなされて、前記外側底面１４１”には足場１４１-１”が突出形成されて、前記内側面１４４”は浮遊物質の円滑な移動のために下部から上部で所定角度の緩い傾斜面１４４-１”を成して内側面端部は荷重を減らすために内周面に沿ってカッティングされるカッティング面１４４-２”が形成されることを特徴とする請求項１に記載の遠心分離用容器。
【請求項５】
前記バルブ体１４０”’は、内側底面１４３”’と、前記内側底面１４３”’の底面を形成する外側底面１４１”’と、前記内側底面１４３”’と連結される内側面１４４”’と、前記内側面１４４”’の外部を成して前記外側底面１４１”’と連結される外側面１４２”’と、前記内側底面１４３”’と前記外側底面１４１”’を貫通して形成される通孔１４５”’で構成されて全体的にコップ形状でなされて、前記外側底面１４１”’には足場１４１-１”’が突出形成されて、前記内側面１４４”’は浮遊物質の円滑な移動のために下部から上部に所定角度の緩い傾斜面１４４-１”’を成して内側面端部は荷重を減らすために内周面に沿ってカッティングされるカッティング面１４４-２”’が形成され、前記外側面１４２”’は上部の直径がさらに大きくなるように外側に傾いて形成され、前記外側面１４２”’の上端は外周面に沿って外側に微細に突出された外側面微細突出部１４２-１”’が形成されることを特徴とする請求項１に記載の遠心分離用容器。
【請求項６】
前記締結部１３０と前記内側リング部２３３の段顎によって形成される空間にはパッキングリング３００が挿入されることを特徴とする請求項１に記載の遠心分離用容器。
【請求項７】
前記流入ポート２１２及び前記排出ポート２２２の上端には中央にホール２１２-１１、２２２-１（１)が形成された注射針ガイド２１２-１、２２２-１が結合されることを特徴とする請求項１に記載の遠心分離用容器。
【請求項８】
前記通孔１４５、１４５’は、外側底面１４１、１４１’で上向きに形成される直管部１４５-１、１４５-１’と、前記直管部１４５-１、１４５-１’の端部で上部に直径が拡がる拡管部１４５-２、１４５-２’で構成され、前記拡管部１４５-２、１４５-２’を延ばすために前記内側底面１４３、１４３’の中央に突出形成される顎部１４３-１、１４３-１’が具備されることを特徴とする請求項２または３のうちでいずれか一つに記載の遠心分離用容器。
【請求項９】
前記通孔１４５”、１４５”’は、外側底面１４１”、１４１”’で上向きに浮遊物質の円滑な流れのために形成されるアンダーカット部１４５-３”、１４５-３”’と、前記アンダーカット部１４５-３”、１４５-３”’の上部に形成される直管部１４５-１”、１４５-１”’と、前記直管部１４５-１”、１４５-１”’の端部で上部に直径が拡がる拡管部１４５-２”、１４５-２”’で構成され、前記拡管部１４５-２”、１４５-２”’を延ばすために前記内側底面１４３”、１４３”’の中央に突出形成される顎部１４３-１”、１４３-１”’が具備されることを特徴とする請求項４または５に記載の遠心分離用容器。
【発明の詳細な説明】
【技術分野】
【０００１】
本発明は、遠心分離機に装着される遠心分離用容器に関し、より詳細には、血液や骨髄のような生理学的複合流体に遠心力を加えて成分別比重の差によって遠心分離させることにおいて、遠心分離される沈殿物質と浮遊物質の境界層を区分させるバルブ体が遠心分離過程で往復移動は可能であるが、回転は防止されるように構成すると共に浮遊物質が沈殿物質から分離して移動する通路を広く確保することで得ようとする成分層を速かに分離及び回収するようにする遠心分離用容器に関するものである。
【背景技術】
【０００２】
遠心分離機は物体が回転する時に発生する遠心力を利用して物質を分離する装置である。バイオテクノロジーでは液体と混合されている細胞または液体より高い比重と付着力を有する物質を比重によって分離するための目的で遠心分離機が使われる。遠心分離機を使って血液のような複合流体を遠心分離すれば流体は比重の差によっていくつかの層で分けられる。
【０００３】
血液は各種疾病や健康状態を判断するための主な指標で使われる部分もあるが、血液内に成長因子が豊かに入っている血小板は、治療目的で使われる。血液は赤血球、白血球、血小板などでなされて、このうちで血小板は主に血漿に存在して血漿はＰＲＰ(Platelet Rich Plasma)層及びＰＰＰ(Platelet Poor Plasma)層で分類される。このうち濃縮血小板(ＰＲＰ)は痛症部分、特に、膝安坐、靭帯、筋肉などに移植される場合、移植された部分の周りに幹細胞を刺激して細胞が生成されることを手伝ってくれる役割をするので治療目的で使われて来たが、血液内に含有量が少量で赤血球と付いていて採取が難しかったし、赤血球が人体に入って行けば相当な苦痛を引き起こしてそれによって炎症を誘発することもあって、赤血球と血漿を分離して、血漿から濃縮血小板(ＰＲＰ)を採取するために遠心分離機を使っている。
【０００４】
遠心分離機は遠心分離する試料の量、回転速度、ローターの類型などによってさまざまな形態で区分され、遠心分離機内には遠心分離対象物質を収容して遠心力による比重の差によっていくつかの層で分離し、分離した層の一部をデカンタ(decanting、浮遊物質を他のチャンバによって注ぐ作業)して回収するための複数のチャンバを含んで構成されている。
【０００５】
このような遠心分離機に関する先行技術で、韓国登録特許１０-０４３５２６４には遠心分離される物質を収容するための複数のチャンバ、前記物質を遠心分離させるために前記チャンバらを回転させるための手段及び前記チャンバらのうちで第１チャンバにある浮遊物質を第２チャンバに排出させるように前記チャンバらをあらかじめ決まった位置に固定させるための手段を含んで、前記第１チャンバの内部には遠心分離される物質の間の境界層に浮遊するディスクが具備され、前記ディスクの一側には遠心分離される浮遊物質がディスクの他側に通過するように溝が形成された構造でなされている。
【０００６】
このような構成によれば、遠心分離中または遠心分離後にサンプル容器を選択された方向で固定させて容器の２またはその以上のチャンバらの間に浮遊物質を分離排出させることができるが、前記ディスクはその中央部に中空管が挿入されてディスクの一側に流体疎通のための溝が形成された構造でなされていて、遠心分離過程で遠心分離される物質の境界層の変化に対応して前記ディスクが第１チャンバの長さ方向に沿って移動する同時に回転及び搖れるようになされて遠心分離された浮遊物質がディスクに形成された溝との干渉によって円滑に通過することができなくなることによって遠心分離に多くの時間が必要となる問題点がある。
【０００７】
また従来技術によれば、第１チャンバと第２チャンバが接して並んで配置され、チャンバらの間の流体疎通はふたに形成されたブリッジのみを通じて行われるようになされるため、遠心分離された浮遊物質が他のチャンバに移動する通路の断面積が狭く形成されて浮遊物質をデカンタする作業にも多くの時間が必要となる問題点がある。
【０００８】
このような問題点を解決するために本出願人は、韓国特許第１０-１１９７９０８号の遠心分離用容器に対する特許で、遠心分離対象物質が収容される第１チャンバと、前記第１チャンバ内の物質から遠心分離された浮遊物質が前記第１チャンバからデカンタされて収容され、前記第１チャンバの外側まわりに位置する第２チャンバを含む本体と、前記本体の上部を覆って、前記第１チャンバと第２チャンバとの間に前記デカンタされる浮遊物質の流体疎通通路を形成する覆いと、を含むが、前記本体には、前記通路に連通されて前記デカンタされる浮遊物質を前記第２チャンバ側に誘導するように前記第１チャンバの外側面全体を取り囲んで前記第２チャンバ側を向けて傾くように形成されたガイド部が形成されたことを特徴とする遠心分離用容器を提示したことがある。
【０００９】
また、本出願人は韓国特許第１１９７９７４号の迅速な遠心分離が可能な遠心分離用容器に対する特許で、遠心分離対象物質が収容される第１チャンバと、前記第１チャンバ内の物質から遠心分離された浮遊物質が前記第１チャンバからデカンタされて収容され、前記第１チャンバの外側まわりに位置する第２チャンバを含む本体と、前記本体の上部を覆って、前記第１チャンバと第２チャンバとの間に前記デカンタされる浮遊物質の流体疎通通路を形成する覆いと、を含むが、前記第１チャンバの内部には、前記遠心分離される物質の間の境界層に位置するように前記第１チャンバの長さ方向に沿って直線往復移動可能に配置され、底面には多数個の通孔が形成されたバルブ体が具備され、前記遠心分離過程で前記遠心分離される浮遊物質は前記多数個の通孔を通じて移動すると共に前記バルブ体の外側面と前記第１チャンバの内側面との間に形成された隙間を通じて移動することを特徴とする遠心分離用容器を提供したことがある。
前記技術らの問題点は覆いと本体間の結合時に接着剤を使って来たため組み立て及び製作が易しくない問題点があった。
【００１０】
また、前記技術らは流入ポートと排出ポートが単純にゴム材質で形成されているだけであるので、注射針を正確な位置を通じて流入または排出し易くない問題点があった。
【００１１】
また、前記技術らはバルブ体が第１チャンバの底に接しているため遠心分離対象物質がすべてバルブ体の上部に投入されるため浮力が易しく作用することができなくて比重によって浮遊物質を分離するのに多少の限界があった。
【先行技術文献】
【特許文献】
【００１２】
【特許文献１】韓国特許第１０-１１９７９０８号
【特許文献２】韓国特許第１１９７９７４号
【発明の概要】
【発明が解決しようとする課題】
【００１３】
本発明は、前記のような問題点を解決するために案出されたものであり、血液や骨髄のような生理学的複合流体を構成する成分物質を遠心分離機の回転による遠心力と成分別比重の差を利用して分離するにおいて成分物質の分離が正確になされるようにする遠心分離用容器を提供することにその目的がある。
また、本発明は覆いと本体の組み立てが易しくできて作業効率が高い遠心分離用容器を提供することにその目的がある。
【００１４】
また、本発明は流入ポートと排出ポートを通じて遠心分離対象物質の流入及び浮遊物質の排出が容易い流入ポートと排出ポートを持った遠心分離用容器を提供することにその目的がある。
【課題を解決するための手段】
【００１５】
前記目的を達成するために本発明は、遠心分離対象物質が収容される第１チャンバ１１０と、前記第１チャンバ１１０内の物質から遠心分離された浮遊物質が前記第１チャンバ１１０からデカンタされて収容され、前記第１チャンバ１１０の一側に位置する第２チャンバ１２０と、前記第１チャンバ１１０と第２チャンバ１２０の上端外側を囲む形態で形成される締結部１３０を含む本体１００と、前記本体１００の上部を覆って、前記第１チャンバ１１０と第２チャンバ１２０との間に前記デカンタされる浮遊物質の流体疎通通路(Ｐ)を形成する覆い２００と、を含んでなされる遠心分離容器において、前記第１チャンバ１１０の内部には、前記遠心分離される物質の間の境界層に位置するように前記第１チャンバ１１０の長さ方向に沿って直線往復移動可能に配置され、底面には遠心分離対象物質が分離されて移動される通孔１４５、１４５'、１４５”、１４５”’が形成されたバルブ体１４０、１４０'、１４０”、１４０”’が具備され、前記覆い２００には、前記覆い２００の縁を形成し、前記縁前記締結部１３０と結合するように形成されるリング部２３０と、前記リング部２３０の内側に連結されて陷沒された形態で形成される陷沒部２２０と、前記陷沒部２２０の内側に連結されて突出された形態で形成されて前記浮遊物質が前記第１チャンバ１１０で前記第２チャンバ１２０で排出されるように流体疎通通路(Ｐ)を形成するようになる突出部２１０と、が具備されて、前記突出部２１０には、前記第１チャンバ１１０で遠心分離対象物質を注入するための流入ポート２１２が突出形成されて、前記陷沒部２２０には、前記第１チャンバ１１０に遠心分離対象物質が注入されるによって内部の空気を排出させるためのエアベントと、前記第２チャンバ１２０に流入された浮遊物質を排出するための排出ポートが形成されて、前記リング部２３０は、外側リング部２３１と、前記外側リング部２３１と連結される平面リング部２３２と、前記平面リング部２３２と連結されて段顎が形成される内側リング部２３３で構成されて、前記外側リング部２３１の内周面にはリングフック２３１-１が形成されて、前記締結部１３０の外側端部は上部で延長されて前記内側リング部２３１のリングフック２３１-１と結合するように外周面に対応される形態の締結フック１３１が形成されることを特徴とする遠心分離用容器を提供する。
【００１６】
本発明でバルブ体１４０は、内側底面１４３と、前記内側底面１４３の底面を形成する外側底面１４１と、前記内側底面１４３と連結される内側面１４４と、前記内側面１４４の外部を成して前記外側底面１４１と連結される外側面１４２と、前記内側底面１４３と前記外側底面１４１を貫通して形成される通孔１４５で構成されて全体的にコップ形状でなされて、前記外側底面１４１には足場１４１-１が突出形成され、前記内側面１４４は浮遊物質の円滑な移動のために急傾斜面１４４-１と緩傾斜面１４４-２が下部から上部に順に形成されることを特徴とする。
【００１７】
また、本発明でバルブ体１４０’は、内側底面１４３’と、前記内側底面１４３’の底面を形成する外側底面１４１’と、前記内側底面１４３’と連結される内側面１４４’と、前記内側面１４４’の外部を成して前記外側底面１４１’と連結される外側面１４２’と、前記内側底面１４３’と前記外側底面１４１’を貫通して形成される通孔１４５’で構成されて全体的にコップ形状でなされて、前記外側底面１４１’には足場１４１-１’が突出形成されて、前記内側面１４４’は浮遊物質の円滑な移動のために下部から上部に急傾斜面１４４-１’と緩傾斜面１４４-２’が順に形成され、前記外側面１４２’の上端は外周面に沿って外側に突出された外側面突出部１４２-１’が形成されることを特徴とする。
【００１８】
また、本発明でバルブ体１４０”は、内側底面１４３”と、前記内側底面１４３”の底面を形成する外側底面１４１”と、前記内側底面１４３”と連結される内側面１４４”と、前記内側面１４４”の外部を成して前記外側底面１４１”と連結される外側面１４２”と、前記内側底面１４３”と前記外側底面１４１”を貫通して形成される通孔１４５”で構成されて全体的にコップ形状でなされて、前記外側底面１４１”には足場１４１-１”が突出形成されて、前記内側面１４４”は浮遊物質の円滑な移動のために下部から上部で所定角度の緩い傾斜面１４４-１”を成して内側面端部は荷重を減らすために内周面に沿ってカッティングされるカッティング面１４４-２”が形成されることを特徴とする。
【００１９】
また、本発明でバルブ体１４０”’は、内側底面１４３”’と、前記内側底面１４３”’の底面を形成する外側底面１４１”’と、前記内側底面１４３”’と連結される内側面１４４”’と、前記内側面１４４”’の外部を成して前記外側底面１４１”’と連結される外側面１４２”’と、前記内側底面１４３”’と前記外側底面１４１”’を貫通して形成される通孔１４５”’で構成されて全体的にコップ形状でなされて、前記外側底面１４１”’には足場１４１-１”’が突出形成され、前記内側面１４４”’は浮遊物質の円滑な移動のために下部から上部に所定角度の緩い傾斜面１４４-１”’を成して内側面の端部は荷重を減らすために内周面に沿ってカッティングされるカッティング面１４４-２”’が形成され、前記外側面１４２”’の上端は外周面に沿って外側に突出された外側面突出部１４２-１”’が形成されることを特徴とする。
また、本発明は締結部１３０と内側リング部２３３の段顎によって形成される空間にはパッキングリング３００が挿入されることを特徴とする。
【００２０】
また、本発明は流入ポート２１２及び排出ポート２２２の上端には中央にホール２１２-１（１)、２２２-１（１)が形成された注射針ガイド２１２-１、２２２-１が結合されることを特徴とする。
【００２１】
また、本発明で通孔１４５、１４５’は、外側底面１４１、１４１’で上向きに形成される直管部１４５-１、１４５-１’と、前記直管部１４５-１、１４５-１’の端部で上部に直径が拡がる拡管部１４５-２、１４５-２’で構成され、前記拡管部１４５-２、１４５-２’を延ばすために前記内側底面１４３、１４３’の中央に突出形成される顎部１４３-１、１４３-１’が具備されることを特徴とする。
【００２２】
また、本発明で通孔１４５”、１４５”’は、外側底面１４１”、１４１”’で上向きに浮遊物質の円滑な流れのために形成されるアンダーカット部１４５-３”、１４５-３”’と、前記アンダーカット部１４５-３”、１４５-３”’の上部に形成される直管部１４５-１”、１４５-１”’と、前記直管部１４５-１”、１４５-１”’の端部で上部に直径が拡がる拡管部１４５-２”、１４５-２”’で構成され、前記拡管部１４５-２”、１４５-２”’を延ばすために前記内側底面１４３”、１４３”’の中央に突出形成される顎部１４３-１”、１４３-１”’が具備されることを特徴とする。
【発明の効果】
【００２３】
本発明による実施例によれば、バルブ体の構造によって血液や骨髄のような生理学的複合流体を構成する成分物質を遠心分離機の回転による遠心力によって速かに正確に分離することができる効果を有する。
また、覆いと本体の組み立てを挟むだけで組み立てがなされるため作業性が良くて作業能率を高めることができるという効果を有する。
【００２４】
また、流入ポートと排出ポートに注射針が正確に投入されることができる注射針ガイドが形成されて血液や骨髄のような複合流体の投入及び分離された浮遊物質の排出を容易にできる効果を有する。
また、バルブ体が第１チャンバの内壁と接する面積が小さいため浮力による作動が早くなされることができるという長所を有する。
【図面の簡単な説明】
【００２５】
【図１】図１は本発明の一実施例による遠心分離用容器の斜視図である。
【図２】図２は図１のＡ-Ａ断面斜視図である。
【図３】図３は図１のＡ-Ａ断面図である。
【図４】図４は本発明によるバルブ体の第１実施例の斜視図である。
【図５】図５は図４のバルブ体の断面図である。
【図６】図６は本発明によるバルブ体の第２実施例の断面図である。
【図７】図７は本発明によるバルブ体の第３実施例の斜視図である。
【図８】図８は図７のバルブ体の断面図である。
【図９】図９は本発明によるバルブ体の第４実施例の断面図である。
【発明を実施するための形態】
【００２６】
本発明を実施するための最善の形態は、遠心分離対象物質が収容される第１チャンバ１１０と、前記第１チャンバ１１０内の物質から遠心分離された浮遊物質が前記第１チャンバ１１０からデカンタされて収容され、前記第１チャンバ１１０の一側に位置する第２チャンバ１２０と、前記第１チャンバ１１０と第２チャンバ１２０の上端外側を囲む形態で形成される締結部１３０を含む本体１００と、前記本体１００の上部を覆って、前記第１チャンバ１１０と第２チャンバ１２０との間に前記デカンタされる浮遊物質の流体疎通通路(Ｐ)を形成する覆い２００と、を含んでなされる遠心分離容器において、前記第１チャンバ１１０の内部には、前記遠心分離される物質の間の境界層に位置するように前記第１チャンバ１１０の長さ方向に沿って直線往復移動可能に配置され、底面には遠心分離対象物質が分離されて移動される通孔１４５、１４５'、１４５”、１４５”’が形成されたバルブ体１４０、１４０'、１４０”、１４０”’が具備され、前記覆い２００には、前記覆い２００の縁を形成し、前記縁で前記締結部１３０と結合できるように形成されるリング部２３０と、前記リング部２３０の内側に連結されて陷沒された形態で形成される陷沒部２２０と、前記陷沒部２２０の内側に連結されて突出された形態で形成されて前記浮遊物質が前記第１チャンバ１１０で前記第２チャンバ１２０に排出されるように流体疎通通路(Ｐ)を形成するようになる突出部２１０と、が具備され、前記突出部２１０には、前記第１チャンバ１１０に遠心分離対象物質を注入するための流入ポート２１２が突出形成され、前記陷沒部２２０には、前記第１チャンバ１１０に遠心分離対象物質が注入されることによって内部の空気を排出させるためのエアベントと、前記第２チャンバ１２０に流入された浮遊物質を排出するための排出ポートが形成され、前記リング部２３０は、外側リング部２３１と、前記外側リング部２３１と連結される平面リング部２３２と、前記平面リング部２３２と連結されて段顎が形成される内側リング部２３３で構成され、前記外側リング部２３１の内周面にはリングフック２３１-１が形成され、前記締結部１３０の外側端部は上部に延長されて前記内側リング部２３１のリングフック２３１-１と結合するように外周面に対応される形態の締結フック１３１が形成される遠心分離用容器でなされる。
【００２７】
以下、添付した図面を参照して本発明の望ましい実施例に対する構成及び作用を詳しく説明すれば次のようである。
【００２８】
図１は、本発明の一実施例による遠心分離用容器の斜視図であり、図２は図１のＡ-Ａ断面斜視図であり、図３は図１のＡ-Ａ断面図であり、図４は本発明によるバルブ体の第１実施例の斜視図であり、図５は図４のバルブ体の断面図であり、図６は本発明によるバルブ体の第２実施例の断面図であり、図７は本発明によるバルブ体の第３実施例の斜視図であり、図８は図７のバルブ体の断面図であり、図９は本発明によるバルブ体の第４実施例の断面図である。
【００２９】
図１乃至図３に示されたように、本発明による遠心分離用容器１０は、血液から赤血球と血漿を分離するか、または骨髄から幹細胞を分離する場合などのように複合流体から必要な成分を分離して回収するために遠心分離機の内部に装着されることであり、血液や骨髄のような遠心分離対象物質が投入されて収容される第１チャンバ１１０と、前記第１チャンバ１１０内に注入された複合流体から遠心分離された浮遊物質がデカンタされて収容される第２チャンバ１２０を含む本体１００と、前記本体１００の上部を覆って第１チャンバ１１０から第２チャンバ１２０側にデカンタされる浮遊物質の流体疎通通路(Ｐ)を形成する覆い２００と、を含む。
【００３０】
前記第１チャンバ１１０は上部が開放されて側面と底面は密閉されたシリンダー型外壁１１１によって形成され、第１チャンバ１１０の内部には第１チャンバ１１０内部に流入される遠心分離対象物質との比重差によって浮揚されて遠心分離される物質の間の境界層に位置するバルブ体１４０が具備される。
【００３１】
前記バルブ体１４０は遠心分離対象物質の遠心分離時、相対的に比重が大きくて回転中心から外側に移動して位置するようになる沈殿物質と、相対的に比重が小さくて回転中心に相対的に近い前記沈殿物質の内側に位置するようになる浮遊物質が区分され、浮遊物質を第２チャンバ１２０側にデカンタする過程で沈殿物質が浮遊物質と混合されて一緒に排出されることを防止するためのことであり、その形状は上部が開放されたコップ形状でなされて、バルブ体１４０の外側面と第１チャンバ１１０の内側面の間には浮遊物質が通過することができることと併せてバルブ体１４０が第１チャンバ１１０内で上下で動くように微細な隙間が形成され、バルブ体１４０の底面中央には浮遊物質が通過することができる通孔１４５が形成されている。したがって、遠心分離用容器１０が遠心分離機(図示せず)に装着されて回転するようになれば遠心分離用容器１０が遠心力によって傾くようになって、また、遠心力によって比重が大きい物質と比重の小さな物質らが分離される。すなわち、比重が大きい沈殿物質らは中央に形成された通孔１４５と第１チャンバ１１０とバルブ体１４０との間の微細な隙間を通じてバルブ体１４０の外側底面１４１側に移動するようになって、反対に比重の小さな浮遊物質らはバルブ体１４０の内側底面１４３に位置するようになることで、沈殿物質と浮遊物質が分離されることができるようになる。
【００３２】
覆い２００は、覆い２００の縁を形成して、縁で締結部１３０と結合できるように形成されるリング部２３０と、リング部２３０の内側に連結されて陷沒された形態で形成される陷沒部２２０と、陷沒部２２０の内側に連結されて突出された形態で形成されて浮遊物質が第１チャンバ１１０から第２チャンバ１２０に排出されるように流体疎通通路(Ｐ)を形成するようになる突出部２１０で構成される。リング部２３０は、本体１００の締結部１３０と結合されるが、結合の容易性を提供するためにフック型ジョイントを設ける。リング部２３０の構成は、内周リングフック２３１-１が形成される外側リング部２３１と、外側リング部２３１と連結される平面リング部２３２と、平面リング部２３２と連結されて段顎が形成される内側リング部２３３が順番どおりに外側から内側に形成される。リングフック２３１-１は追後説明される締結部１３０の結合フック２３１-１と結合され、フックの結合によって組み立てが完成される。また、段顎が形成される内側リング部２３３と締結部１３０との間にはパッキングリング３００が介されて第１チャンバ１１０及び第２チャンバ１２０から内容物が流出されることを防止する。図３に示されたように、パッキングリング３００を締結部１３０の内側に乗せるか、または内側リング部２３３に挟んだ状態で覆い２００と本体１００を結合するようになれば装着が完了して、パッキングリング３００によって内容物が流出されることが防止されるので、作業性がすぐれた効果を有するようになる。
【００３３】
また、図面に示されたように、突出部２１０には流入ポート２１２が設けられる。流入ポート２１２は血液や骨髄などの遠心分離対象物質を投入するポートである。流入ポート２１２内側にはシリコンやゴムでなされた流入パッキング２１２-２が挿入される。流入パッキング２１２-２は中央に挿入ホール２１２-２１が形成されて上部側は所定厚さで詰まるように設けられる。それによって注射針(図示せず)を利用して流入ポート２１２を通じて血液や骨髄などの遠心分離対象物質を第１チャンバ１１０に注入した後、注射針を抜き取る場合にも内容物が排出されないようにする。また、流入ポート２１２の上部には注射針を正確に挿入できるように中央にホール２１２-１１が形成された注射針ガイド２１２-１が装着される。したがって、使用者は注射針ガイド２１２-１を利用して注射針を易しく第１チャンバ１１０に挿入することができるようになるし、注射針を通じて血液や骨髄などの遠心分離対象物質を易しく注入することができるようになる。
【００３４】
また、図面に示されたように陷沒部２２０には排出ポート２２２が形成される。流出ポート２２２も流入ポート２１２０と同じの構成を有するようになるが、第２チャンバ１２０でデカンタされたＰＰＰまたはＰＲＰのような浮遊物質を排出するようになる役割をする。排出ポート２２２も流入ポート２１２と同じく内部にシリコンやゴムでなされた排出パッキング２２２-２が挿入される。排出パッキング２２２-２は中央に挿入ホール２２２-２（１)が形成されて上部側は所定厚さで詰まるように設けられる。それによって注射針(図示せず)を利用して排出ポート２２２を通じてデカンタされたＰＰＰまたはＰＲＰを注射針に注入した後、注射針を抜き取る場合にも内容物が排出されないようにする。また、排出ポート２２２の上部には注射針を正確に挿入できるように中央にホール２２２-１（１)が形成された注射針ガイド２２２-１が装着される。したがって、使用者は注射針ガイド２２２-１を利用して注射針を易しく第２チャンバ１２０に挿入することができるようになるし、注射針を通じて遠心分離されたＰＰＰまたはＰＲＰを易しく第２チャンバ１２０から排出することができるようになる。
【００３５】
また、陷沒部２２０にはエアベント２２４が設けられる。エアベント２２４は内容物が抜けないが、空気は抜けるように微細に設けられる。エアベント２２４は第１チャンバ１１０に遠心分離対象物質を注入するようになる場合本体１００にある空気がすり抜けて来ることができるようにするための構成である。第２チャンバ１２０の上部を除いた陷沒部２２０は締結部１３０と接するため、エアベント２２４は第２チャンバ１２０の上部に形成されることが望ましい。
【００３６】
図１乃至図３に示されたように、第２チャンバ１２０は第１チャンバ１１０の外側に離隔されて第１チャンバ１１０の外壁１１１一部を囲むように位置して、第１チャンバ１１０の外壁１１１と童心構造を成す内壁１２２と外壁１２１を含んで構成される。第２チャンバ１２０の内壁１２２の上端部は第１チャンバ１１０の上端部と連結部１１２によって相互連結される。第２チャンバ１２０は上端から下端に行くほど断面積が徐徐に細くなる形状でなされて、第２チャンバ１２０の下部は第２チャンバ１２０内部に収容される浮遊物質の取り出しを容易にするために傾いた形状の一番下部の底である第１底部１２３と、第１底部１２３の上部に傾いて形成された第２底部１２４で構成されて下部に行くほどその断面積が徐徐に狭く形成されている。
【００３７】
図２及び図３に示されたように、第１チャンバ１１０の外壁１１１上端部の連結部１１２と覆い２００の突出部２２０との間の離隔された空間は第１チャンバ１１０と第２チャンバ１２０との間の流体疎通通路(Ｐ)を形成するようになって、遠心分離による浮遊物質は前記通路(Ｐ)を通じて第２チャンバ１２０に移動するようになる。
【００３８】
図４乃至図５は、バルブ体１４０の第１実施例に対する図面である。図面に示されたように、バルブ体１４０は内側底面１４３と、内側底面１４３の底面を形成する外側底面１４１と、内側底面１４３と連結される内側面１４４と、内側面１４４の外部を成して外側底面１４１と連結される外側面１４２と、内側底面１４３と外側底面１４１を貫通して形成される通孔１４５で構成されて全体的にコップ形状でなされる。外側底面１４１には足場１４１-１が突出形成されるが、これはバルブ体１４０と第１チャンバ１１０の底面との間に隙間を与えるようになって、遠心分離時に十分な隙間が形成されて沈殿物質が易しく注入されることができるし、それによって迅速な遠心分離ができるようになる。また、遠心分離による円滑なデカンタのために、内側面１４４は浮遊物質の円滑な移動のために急傾斜面１４４-１と緩傾斜面１４４-２が下部から上部に順に形成される。よって、遠心分離された浮遊物質が第１チャンバ１１０から第２チャンバ１２０に易しくデカンタされるようになる。また、中央には通孔１４５が形成されるが、通孔１４５は外側底面１４１で上向きに形成される直管部１４５-１と、直管部１４５-１の端部で上部に直径が拡がる拡管部１４５-２で構成される。また、拡管部１４５-２、１４５-２’を延ばすために内側底面１４３、１４３’の中央に突出形成される顎部１４３-１、１４３-１’がさらに形成される。前記のような構成によって、拡管部１４５-２’によって沈殿物質の排出は易しくなされて、直管部１４５-１’を通じた沈殿物質の逆流は難しくなって遠心分離が迅速正確になされるようにできる。
【００３９】
図６の第２実施例は、図４の実施例と等しい構成であるが、外側面１４２’が上部に行くほど直径が大きくなるように外側に傾いて形成されるという点と外側面１４２’の上端に外側面の微細突出部１４２-１’がさらに形成された点に差がある。具体的に、バルブ体１４０’は、内側底面１４３’と、内側底面１４３’の底面を形成する外側底面１４１’と、内側底面１４３’と連結される内側面１４４’と、内側面１４４’の外部を成して外側底面１４１’と連結される外側面１４２’と、内側底面１４３’と外側底面１４１’を貫通して形成される通孔１４５’で構成されて全体的にコップ形状でなされる。外側底面１４１’には足場１４１-１’が突出形成され、内側面１４４’は浮遊物質の円滑な移動のために下部から上部に急傾斜面１４４-１’と緩傾斜面１４４-２’が順に形成され、外側面は上部に行くほど直径が大きくなって断面から見た時上部側に傾くように形成され、また外側面１４２’の上端は外周面に沿って外側に微細に突出された外側面微細突出部１４２-１’が形成される。本実施例ではバルブ体１４０’と第１チャンバの内壁との接触面積を減らしてバルブ体１４０’の浮力による円滑な移動が可能にさせる長所がある。また、中央には通孔１４５’が形成されるが、通孔１４５’は外側底面１４１’から上向きに形成される直管部１４５-１’と、直管部１４５-１’の端部から上部に直径が拡がる拡管部１４５-２’で構成され、拡管部１４５-２’を延ばすために内側底面１４３’の中央に突出形成される顎部１４３-１’が具備される。第２実施例の構成は外側面突出部１４２-１’を除いては第１実施例と等しいので、具体的な作用は説明を略することにする。
【００４０】
図７及び図８は、バルブ体１４０”の第３実施例である。図面に示されたように、バルブ体１４０”は、内側底面１４３”と、内側底面１４３”の底面を形成する外側底面１４１”と、内側底面１４３”と連結される内側面１４４”と、内側面１４４”の外部を成して外側底面１４１”と連結される外側面１４２”と、内側底面１４３”と外側底面１４１”を貫通して形成される通孔１４５”で構成されて全体的にコップ形状でなされる。外側底面１４１”には足場１４１-１”が突出形成されるが、前記足場１４１-１”によって第１チャンバ１１０の底面とバルブ体１４０”の間に所定の隙間が形成され、沈殿物質がはじめから前記空間に沈殿されることができるようにして遠心分離が迅速正確になされることができるようになる。また、内側面１４４”は浮遊物質の円滑な移動のために下部から上部に所定角度の緩い傾斜面１４４-１”を成して内側面の端部は荷重を減らすために内周面に沿ってカッティングされるカッティング面１４４-２”が形成される。また、中央には通孔１４５”が形成されるが、通孔１４５”は、外側底面１４１”から上向きに浮遊物質の円滑な流れのために形成される直管部１４５-１”の下部を一部カッティングしたアンダーカット部１４５-３”と、アンダーカット部１４５-３”の上部に形成される直管部１４５-１”と、直管部１４５-１”の端部から上部に直径が拡がる拡管部１４５-２”で構成され、拡管部１４５-２”を延ばすために内側底面１４３”の中央に顎部１４３-１”が突出形成される。前記のような構成によって、拡管部１４５-２”によって沈殿物質の排出は易しくなされて、直管部１４５-１”を通じた沈殿物質の逆流は難しくなって遠心分離が迅速正確になされるようにできる。また、直管部１４５-１”の下部アンダーカット部１４５-３”を通じてバルブ体１４０”下部の浮遊物質が易しく排出されることができる。
【００４１】
図９は、バルブ体１４０”’の第４実施例を図示ある。図面に示されたように、第３実施例と外側面が上部に行くほど直径が大きくなるという点と、外側面の微細突出部１４２-１”’を除いては等しい構成である。前記上部に行くほど外径が大きくなる点と外側面の微細突出部１４２-１”’はバルブ体１４０”’と第１チャンバ１１０の内壁が接する接触面積を減らすための構成である。具体的に、バルブ体１４０”’は、内側底面１４３”’と、内側底面１４３”’の底面を形成する外側底面１４１”’と、内側底面１４３”’と連結される内側面１４４”’と、内側面１４４”’の外部を成して外側底面１４１”’と連結される外側面１４２”’と、内側底面１４３”’と外側底面１４１”’を貫通して形成される通孔１４５”’で構成されて全体的にコップ形状でなされる。また、外側底面１４１”’には足場１４１-１”’が突出形成されて、内側面１４４”’は浮遊物質の円滑な移動のために下部から上部に所定角度の緩い傾斜面１４４-１”’を成して内側面の端部は荷重を減らすために内周面に沿ってカッティングされるカッティング面１４４-２”’が形成され、外側面１４２”’は上部に行くほど直径が大きくなるため断面は外側に傾いた形態を有して、外側面１４２”’の上端は外周面に沿って外側に突出された外側面微細突出部１４２-１”’が形成される。また、中央には通孔１４５”’が形成されるが、通孔１４５”’は、外側底面１４１”’で上向きに浮遊物質の円滑な流れのために形成される直管部１４５-１”’の下部を一部カッティングしたアンダーカット部１４５-３”’と、アンダーカット部１４５-３”’の上部に形成される直管部１４５-１”’と、直管部１４５-１”’の端部から上部に直径が拡がる拡管部１４５-２”’で構成され、拡管部１４５-２”’を延ばすために内側底面１４３”’の中央に顎部１４３-１”’が突出形成される。前記のような構成によって、拡管部１４５-２”’によって沈殿物質の排出は易しくなされて、直管部１４５-１”’を通じる沈殿物質の逆流は難しくなって遠心分離を迅速正確になされるようにできる。また、直管部１４５-１”’の下部アンダーカット部１４５-３”’を通じてバルブ体１４０”’下部の浮遊物質が易しく排出されることができる。
【００４２】
本明細書では血液３００の遠心分離及びデカンタ過程を例に挙げて遠心分離用容器１０の構成及び作用を説明したが、本発明の遠心分離用容器１０はこのような実施例に限定されないし、骨髄などのようなその他の多様な複合的流体を成分別に遠心分離して回収する場合にすべて適用される。
【産業上の利用可能性】
【００４３】
以上説明したように、本発明によれば、 血液や骨髄のような生理学的複合流体に遠心力を加えて成分別比重の差によって遠心分離をするための遠心分離用容器に関するものとして、大量生産が可能で医療産業に適用可能であるため産業上利用可能性がある。
【図１】
2020515410.tif 000003
【図２】
2020515410.tif 000004
【図３】
2020515410.tif 000005
【図４】
2020515410.tif 000006
【図５】
2020515410.tif 000007
【図６】
2020515410.tif 000008
【図７】
2020515410.tif 000009
【図８】
2020515410.tif 000010
【図９】
2020515410.tif 000011
【国際調査報告】
2020515410.tif 000012
2020515410.tif 000013
2020515410.tif 000014
2020515410.tif 000015